(57)【特許請求の範囲】
【請求項１】
原稿画像に対応する白黒データを含む画像データに基づいて、主走査方向に複数個の発熱体が列設されたサーマルヘッドの各発熱体を選択的に加熱して、前記白黒データに対応する画像を穿孔パターンとして孔版原紙に印字するサーマルヘッドの制御装置であって、
原稿モードとして写真モード又は文字モードのいずれかの選択を受け付けるモード受付手段と、
前記モード受付手段で写真モードが選択された場合は、前記画像データの白黒データに含まれる各黒画素のうち、主走査方向及び副走査方向に黒画素が隣接していない画素パターンに含まれる黒画素、及び主走査方向又は副走査方向のどちらかに黒画素が少なくとも３つ以上連続している画素パターンに含まれる黒画素の穿孔面積が、文字モード選択時の主走査方向及び副走査方向に黒画素が少なくとも３つ以上連続している画素パターンに含まれる黒画素の穿孔面積よりも大きくなるように、該当黒画素を印字する発熱体に供給する印加エネルギーを設定して前記画像データに付加し、また前記モード受付手段で文字モードが選択された場合は、前記画像データの白黒データに含まれる各黒画素のうち、主走査方向及び副走査方向に黒画素が隣接していない画素パターンに含まれる黒画素の穿孔面積が、文字モード選択時の主走査方向及び副走査方向に黒画素が少なくとも３つ以上連続している画素パターンに含まれる黒画素の穿孔面積よりも小さくなるように、該当黒画素を印字する発熱体に供給する印加エネルギーを設定して前記画像データに付加する制御手段と、
を備えることを特徴とするサーマルヘッドの制御装置。
【請求項２】
前記制御手段は、前記モード受付手段で写真モードが選択された場合は、前記画像データの白黒データに含まれる各黒画素のうち、主走査方向及び副走査方向に黒画素が少なくとも３つ以上連続している画素パターンに含まれる黒画素の穿孔面積が、主走査方向及び副走査方向に黒画素が隣接していない画素パターンに含まれる黒画素の穿孔面積、及び主走査方向又は副走査方向のどちらかに黒画素が少なくとも３つ以上連続している画素パターンに含まれる黒画素の穿孔面積と同じとなるように、該当黒画素を印字する発熱体に供給する印加エネルギーを設定して前記画像データに付加することを特徴とする請求項１に記載のサーマルヘッドの制御装置。
【請求項３】
原稿画像に対応する白黒データを含む画像データに基づいて、主走査方向に複数個の発熱体が列設されたサーマルヘッドの各発熱体を選択的に加熱して、前記白黒データに対応する画像を穿孔パターンとして孔版原紙に印字するサーマルヘッドの制御装置であって、
原稿モードとして写真モード又は文字モードのいずれかの選択を受け付けるモード受付手段と、
前記モード受付手段で写真モードが選択された場合は、前記画像データの白黒データに含まれる各黒画素のうち、主走査方向及び副走査方向に黒画素が隣接していない画素パターンに含まれる黒画素、及び主走査方向又は副走査方向のどちらかに黒画素が少なくとも３つ以上連続している画素パターンに含まれる黒画素の穿孔面積が、文字モード選択時の主走査方向及び副走査方向に黒画素が少なくとも３つ以上連続している画素パターンに含まれる黒画素の穿孔面積よりも大きくなるように、該当黒画素を印字する発熱体に供給する印加エネルギーを設定して前記画像データに付加する制御手段と、
を備えることを特徴とするサーマルヘッドの制御装置。
【請求項４】
原稿画像に対応する白黒データを含む画像データに基づいて、主走査方向に複数個の発熱体が列設されたサーマルヘッドの各発熱体を選択的に加熱して、前記白黒データに対応する画像を穿孔パターンとして孔版原紙に印字するサーマルヘッドの制御装置であって、
原稿モードとして写真モード又は文字モードのいずれかの選択を受け付けるモード受付手段と、
前記モード受付手段で文字モードが選択された場合は、前記画像データの白黒データに含まれる各黒画素のうち、主走査方向及び副走査方向に黒画素が隣接していない画素パターンに含まれる黒画素の穿孔面積が、文字モード選択時の主走査方向及び副走査方向に黒画素が少なくとも３つ以上連続している画素パターンに含まれる黒画素の穿孔面積よりも小さくなるように、該当黒画素を印字する発熱体に供給する印加エネルギーを設定して前記画像データに付加する制御手段と、
を備えることを特徴とするサーマルヘッドの制御装置。
【発明の詳細な説明】
【技術分野】
【０００１】
本発明は、サーマルヘッドの制御装置に関し、詳しくは孔版印刷機の製版処理において、孔版原紙に白黒データを印字するサーマルヘッドの制御装置に関する。
【背景技術】
【０００２】
孔版印刷機における製版処理は、原稿から読み取った画像を白黒の画像情報（以下、白黒データ）に変換し、この白黒データに基づいて孔版原紙を発熱体により選択的に加熱穿孔することにより、原稿の画像を孔版原紙に穿孔パターンとして書き込むものである。この穿孔パターンの書き込みにおいて、白黒データに含まれる白黒画素のうち、白画素は加熱穿孔されないが、黒画素は加熱穿孔されて孔版原紙にインキの通過する孔が形成される（なお、白画素の中には穿孔されない程度に加熱されているものが含まれる場合もある）。
【０００３】
また製版処理に際しては、原稿の種類に応じてユーザにより原稿モード（写真モード、文字モードなど）の選択がなされる。そして原稿モードが選択されると、それぞれのモードに応じて白黒データに所定の画像処理が施されることになる。
【０００４】
ところで、写真原稿ではハイライト部の階調に孤立部が多く存在するために発熱体での蓄熱が小さく、加熱穿孔時に発熱体からの熱が伝わりにくくなるため、写真モードを選択して製版しても穿孔されない（以下、不発という）ことがしばしば見受けられる。このような不発が発生すると、その部分の画素はボソツキ（白抜け）などの画像不良となる。また、穿孔されたとしても穿孔面積が計算上より小さくなることもあり、穿孔面積にバラツキ（穿孔バラツキ）を生じることになる。これらの不具合を防止するために黒画素の穿孔面積を大きくすると写真モードの孤立部に対しては有効となるが、この設定をそのまま文字モードに適用して文字原稿を製版した場合には、黒画素の穿孔面積が通常よりも大きくなるために細線に罫線切れなどが発生しやすくなってしまう。罫線切れとは、孔版原紙において隣接する穿孔間が切れて孔同士がつながってしまう状態であり、画像不良の原因となる。
【０００５】
これに対して、黒画素が主走査方向及び副走査方向に隣り合わない散在黒画素パターン（孤立部）の場合に、１画素当たりの穿孔面積が連続黒画素パターン（細線）のときよりも大きくなるように発熱体での加熱を制御するようにした製版装置が提案されている（特許文献１参照）。なお、以下の説明においては、ベタ部、細線、孤立部などを総称して画素パターンという。
【特許文献１】特開２００６−３４１５５６号公報
【発明の開示】
【発明が解決しようとする課題】
【０００６】
一般に写真原稿は文字原稿と比較して印字率が低いため、各発熱体について見てみると、自身が発熱したときの蓄熱や、周りの画素からの発熱の影響（伝熱）が少ない傾向にある。これに対して上記公報に提案された製版装置では写真原稿の孤立部については穿孔面積を大きくしているものの、同じ写真原稿の細線については通常と同じ穿孔面積のままであるため、不発や穿孔バラツキが発生する可能性が高くなる。
【０００７】
また、一般に文字原稿では画素パターンとして孤立部が含まれる可能性は少なく、逆に孤立部が存在した場合には突発的にゴミなどが混入した可能性が高いと考えられる。したがって、文字原稿における孤立部を画素とみなして穿孔してしまうと、画像不良（黒線や点）となる可能性が高くなる。これに対して上記公報に提案された製版装置では、文字モードではどの画素パターンについても通常と同じ穿孔面積のままであるため、文字原稿の孤立部については、上記のような突発的にゴミなどの混入による画素不良の発生を低減することが難しいものとなっていた。
【０００８】
本発明は上記従来技術の課題を解決するためになされたもので、原稿の種類や画素パターンに係わらず、罫線切れや不発などの画像不良の発生を低減することができるサーマルヘッドの制御装置を提供することにある。
【課題を解決するための手段】
【０００９】
上記目的を達成するため、請求項１に係わる発明は、原稿画像に対応する白黒データを含む画像データに基づいて、主走査方向に複数個の発熱体が列設されたサーマルヘッドの各発熱体を選択的に加熱して、前記白黒データに対応する画像を穿孔パターンとして孔版原紙に印字するサーマルヘッドの制御装置であって、原稿モードとして写真モード又は文字モードのいずれかの選択を受け付けるモード受付手段と、前記モード受付手段で写真モードが選択された場合は、前記画像データの白黒データに含まれる各黒画素のうち、主走査方向及び副走査方向に黒画素が隣接していない画素パターンに含まれる黒画素、及び主走査方向又は副走査方向のどちらかに黒画素が少なくとも３つ以上連続している画素パターンに含まれる黒画素の穿孔面積が、文字モード選択時の主走査方向及び副走査方向に黒画素が少なくとも３つ以上連続している画素パターンに含まれる黒画素の穿孔面積よりも大きくなるように、該当黒画素を印字する発熱体に供給する印加エネルギーを設定して前記画像データに付加し、また前記モード受付手段で文字モードが選択された場合は、前記画像データの白黒データに含まれる各黒画素のうち、主走査方向及び副走査方向に黒画素が隣接していない画素パターンに含まれる黒画素の穿孔面積が、文字モード選択時の主走査方向及び副走査方向に黒画素が少なくとも３つ以上連続している画素パターンに含まれる黒画素の穿孔面積よりも小さくなるように、該当黒画素を印字する発熱体に供給する印加エネルギーを設定して前記画像データに付加する制御手段とを備えることを要旨とする。
【００１０】
請求項２に係わる発明は、請求項１において、前記制御手段は、前記モード受付手段で写真モードが選択された場合は、前記画像データの白黒データに含まれる各黒画素のうち、主走査方向及び副走査方向に黒画素が少なくとも３つ以上連続している画素パターンに含まれる黒画素の穿孔面積が、主走査方向及び副走査方向に黒画素が隣接していない画素パターンに含まれる黒画素の穿孔面積、及び主走査方向又は副走査方向のどちらかに黒画素が少なくとも３つ以上連続している画素パターンに含まれる黒画素の穿孔面積と同じとなるように、該当黒画素を印字する発熱体に供給する印加エネルギーを設定して前記画像データに付加することを要旨とする。
【００１１】
請求項３の発明は、原稿画像に対応する白黒データを含む画像データに基づいて、主走査方向に複数個の発熱体が列設されたサーマルヘッドの各発熱体を選択的に加熱して、前記白黒データに対応する画像を穿孔パターンとして孔版原紙に印字するサーマルヘッドの制御装置であって、原稿モードとして写真モード又は文字モードのいずれかの選択を受け付けるモード受付手段と、前記モード受付手段で写真モードが選択された場合は、前記画像データの白黒データに含まれる各黒画素のうち、主走査方向及び副走査方向に黒画素が隣接していない画素パターンに含まれる黒画素、及び主走査方向又は副走査方向のどちらかに黒画素が少なくとも３つ以上連続している画素パターンに含まれる黒画素の穿孔面積が、文字モード選択時の主走査方向及び副走査方向に黒画素が少なくとも３つ以上連続している画素パターンに含まれる黒画素の穿孔面積よりも大きくなるように、該当黒画素を印字する発熱体に供給する印加エネルギーを設定して前記画像データに付加する制御手段と、を備えることを要旨とする。
請求項４の発明は、原稿画像に対応する白黒データを含む画像データに基づいて、主走査方向に複数個の発熱体が列設されたサーマルヘッドの各発熱体を選択的に加熱して、前記白黒データに対応する画像を穿孔パターンとして孔版原紙に印字するサーマルヘッドの制御装置であって、原稿モードとして写真モード又は文字モードのいずれかの選択を受け付けるモード受付手段と、前記モード受付手段で文字モードが選択された場合は、前記画像データの白黒データに含まれる各黒画素のうち、主走査方向及び副走査方向に黒画素が隣接していない画素パターンに含まれる黒画素の穿孔面積が、文字モード選択時の主走査方向及び副走査方向に黒画素が少なくとも３つ以上連続している画素パターンに含まれる黒画素の穿孔面積よりも小さくなるように、該当黒画素を印字する発熱体に供給する印加エネルギーを設定して前記画像データに付加する制御手段と、を備えることを要旨とする。
請求項５の発明は、原稿画像に対応する白黒データを含む画像データに基づいて、主走査方向に複数個の発熱体が列設されたサーマルヘッドの各発熱体を選択的に加熱して、前記白黒データに対応する画像を穿孔パターンとして孔版原紙に印字するサーマルヘッドの制御装置であって、原稿モードとして写真モード又は文字モードのいずれかの選択を受け付けるモード受付手段と、前記モード受付手段で写真モードが選択された場合は、前記画像データの白黒データに含まれる各黒画素のうち、主走査方向及び副走査方向に黒画素が少なくとも３つ以上連続している画素パターンに含まれる黒画素の穿孔面積が、主走査方向及び副走査方向に黒画素が隣接していない画素パターンに含まれる黒画素の穿孔面積、及び主走査方向又は副走査方向のどちらかに黒画素が少なくとも３つ以上連続している画素パターンに含まれる黒画素の穿孔面積と同じとなるように、該当黒画素を印字する発熱体に供給する印加エネルギーを設定して前記画像データに付加する制御手段と、を備えることを要旨とする。
【発明の効果】
【００１２】
請求項１に係わる発明では、写真モードにおいて、主走査方向及び副走査方向に黒画素が隣接していない画素パターン（孤立部）に含まれる黒画素、及び主走査方向又は副走査方向のどちらかに黒画素が少なくとも３つ以上連続している画素パターン（細線）に含まれる黒画素の穿孔面積が、文字モード選択時の黒画素が主走査方向及び副走査方向に少なくとも３つ以上連続している画素パターン（ベタ部）に含まれる黒画素の穿孔面積よりも大きくなるように、該当黒画素を印字する発熱体に供給される印加エネルギーが設定されるため、孤立部及び細線では十分な穿孔面積を得ることができる。したがって、孤立部ではボソツキが発生することがなく、また細線では線幅が細くなることがないので、より高品質な印刷画像を得ることができる。
【００１３】
また、請求項１に係わる発明では、文字モードにおいて、主走査方向及び副走査方向に黒画素が隣接していない画素パターン（孤立部）に含まれる黒画素の穿孔面積が、文字モード選択時の主走査方向及び副走査方向に黒画素が少なくとも３つ以上連続している画素パターン（ベタ部）に含まれる黒画素の穿孔面積よりも小さくなるように、該当黒画素を印字する発熱体へ供給される印加エネルギーが設定されるため、文字原稿の孤立部が実質的に穿孔される可能性が小さくなり、突発的に混入したゴミなどによる画素不良の発生を低減することができる。
【００１４】
また、請求項２に係わる発明では、写真モードにおいて、主走査方向及び副走査方向に黒画素が少なくとも３つ以上連続している画素パターン（ベタ部）に含まれる黒画素の穿孔面積が、主走査方向及び副走査方向に黒画素が隣接していない画素パターン（孤立部）に含まれる黒画素、又は主走査方向又は副走査方向のどちらかに黒画素が少なくとも３つ以上連続している画素パターン（細線）に含まれる黒画素の穿孔面積と同じとなるように、該当黒画素を印字する発熱体へ供給される印加エネルギーが制御されるため、ベタ部において十分な穿孔面積を得ることができる。したがって、ベタ部全体として見たときに、黒色の密度が高くなり、より高品質な印刷画像を得ることができる。
【００１５】
更に、請求項３に係わる発明によれば、写真モードにおいて、主走査方向及び副走査方向に黒画素が隣接していない画素パターン（孤立部）に含まれる黒画素、及び主走査方向又は副走査方向のどちらかに黒画素が少なくとも３つ以上連続している画素パターン（細線）に含まれる黒画素の穿孔面積が、文字モード選択時の黒画素が主走査方向及び副走査方向に少なくとも３つ以上連続している画素パターン（ベタ部）に含まれる黒画素の穿孔面積よりも大きくなるように、該当黒画素を印字する発熱体に供給される印加エネルギーが設定されるため、孤立部及び細線では十分な穿孔面積を得ることができる。したがって、孤立部ではボソツキが発生することがなく、また細線では線幅が細くなることがないので、より高品質な印刷画像を得ることができる。
更に、請求項４に係わる発明によれば、文字モードにおいて、主走査方向及び副走査方向に黒画素が隣接していない画素パターン（孤立部）に含まれる黒画素の穿孔面積が、文字モード選択時の主走査方向及び副走査方向に黒画素が少なくとも３つ以上連続している画素パターン（ベタ部）に含まれる黒画素の穿孔面積よりも小さくなるように、該当黒画素を印字する発熱体へ供給される印加エネルギーが設定されるため、文字原稿の孤立部が実質的に穿孔される可能性が小さくなり、突発的に混入したゴミなどによる画素不良の発生を低減することができる。
更に、請求項５に係わる発明によれば、写真モードにおいて、主走査方向及び副走査方向に黒画素が少なくとも３つ以上連続している画素パターン（ベタ部）に含まれる黒画素の穿孔面積が、主走査方向及び副走査方向に黒画素が隣接していない画素パターン（孤立部）に含まれる黒画素、又は主走査方向又は副走査方向のどちらかに黒画素が少なくとも３つ以上連続している画素パターン（細線）に含まれる黒画素の穿孔面積と同じとなるように、該当黒画素を印字する発熱体へ供給される印加エネルギーが制御されるため、ベタ部において十分な穿孔面積を得ることができる。したがって、ベタ部全体として見たときに、黒色の密度が高くなり、より高品質な印刷画像を得ることができる。
【発明を実施するための最良の形態】
【００１６】
以下、実施形態として、本発明に係わるサーマルヘッドの制御装置を備えた孔版印刷機について説明する。
【００１７】
図１は、本実施形態に係わる孔版印刷機の機能的な構成を示すブロック図、図２は、本実施形態に係わる孔版印刷機の全体的な構成図である。
【００１８】
最初に、図２を参照しながら孔版印刷機の全体的な構成について説明する。図２に示す孔版印刷機１は、大別すると、原稿読取部１０、製版書込部２０、カッター部３０、及び印刷部４０から構成されている。
【００１９】
原稿読取部１０は、原稿の読み取り処理を行うための機構であり、被複写物である原稿７をセットする原稿セット台１２と、原稿セット台１２上にセットされた原稿７を検知する原稿センサ１７と、原稿センサ１７の検知信号により回転駆動される原稿搬送ローラ対１４と、搬送されてきた原稿７の画像を光学的に読み取りアナログの電気信号に変換する密着型のイメージセンサ１１と、イメージセンサ１１で読み取られた原稿７を原稿排出トレー１９に排出するための原稿排出ローラ対１５とから構成されている。
【００２０】
なお、原稿ＩＮセンサ１６は、搬送されてきた原稿７を検知する手段であり、後述する製版書込部２０のスタートを決定するものである。
【００２１】
また、原稿搬送ローラ対１４ならびに原稿排出ローラ対１５は、図中点線で示したようにステッピングモータ１８により回転駆動される。
【００２２】
製版書込部２０は、主走査方向に複数の発熱体２１ａを有するサーマルヘッド２１と、孔版原紙ロール２２から送り出される孔版原紙２３をサーマルヘッド２１に押し当てながら搬送するプラテンローラ２４と、サーマルヘッド２１にて製版された孔版原紙２３を後述するドラム３３のクランプ部３２に向けて搬送する原紙搬送ローラ対２６とから構成されている。
【００２３】
なお、図中点線で示した書込みモータ２５はステッピングモータであり、プラテンローラ２４および原紙搬送ローラ対２６を回転駆動する。
【００２４】
カッター部３０は、孔版原紙２３を切断するための機構であり、サーマルヘッド２１によって製版された孔版原紙２３がドラム３３に巻き付けられて所定量の長さになったときに、孔版原紙２３を所定位置で切断するカッター３１を備えている。
【００２５】
印刷部４０は、ドクタローラ５６とスクージローラ５７間に形成されたインキ溜り５８より一定量のインキをその内面に供給するインキ供給部を内蔵するドラム３３と、給紙台４４上に積載され複写物となる印刷用紙から一枚ずつ印刷用紙４３をピックアップして搬送するピックアップローラ４６と、ピックアップローラ４６から搬送されてきた印刷用紙４３を所定のタイミングで送り出すタイミングローラ４２と、タイミングローラ４２より送り出されてきた印刷用紙４３をドラム３３の外周面に押し付けるプレスローラ３５と、印刷された印刷用紙４３をドラム３３より剥ぎ取るための分離爪５５と、ドラム３３より剥ぎ取り排紙された印刷用紙４３を排紙積載する排紙台４９とから構成されている。
【００２６】
ドラム３３の外周面には、サーマルヘッド２１にて製版され搬送されてきた孔版原紙２３の先端部をクランプするクランプ部３２が設けられている。このクランプ部３２にクランプされた製版済みの孔版原紙２３は、ドラム３３を回転させることによりその外周面に巻き付けられる。
【００２７】
なお、図中点線で示したメインモータ３４はＤＣモータであり、ドラム３３を回転駆動する。また、符号４１は搬送路である。
【００２８】
この孔版印刷機１には、図３に示すような操作パネル６０が設けられている。この操作パネル６０には、製版または印刷をスタートさせる製版／印刷スタートキー６２、動作中の製版または印刷処理を停止させるストップキー６３、操作パネル６０から設定した項目をリセットするためのリセットキー６４、印刷枚数等を入力するためのテンキー６５、製版または印刷を切り替えるための製版／印刷切替キー６６、操作パネル６０から設定した項目を表示させるための設定確認キー６７、製版処理時に試し刷り印刷を行うための試し刷りキー６８、印刷位置のセンタリングを行うセンターキー６９、文字モードを選択するための文字モードキー７１、写真モードを選択するための写真モードキー７２などが配置されている。このうち、文字モードキー７１、写真モードキー７２は、原稿モードとしてユーザから写真モード又は文字モードのいずれかの選択を受け付けるモード受付手段として機能する。
【００２９】
また、操作パネル６０には、感圧式、ないしは静電式のタッチパネル７０が配置されている。このタッチパネル７０の裏面には図示しない表示画面が配置されており、ユーザーはタッチパネル７０を介して表示画面を見ながら指などで直接触れることで各種パラメータの入力などを行うことができる。例えば、製版や印刷を行う際には、タッチパネル７０上に表示される図示しない設定入力画面を通じてソーター機能の設定、連写／連続印刷機能の設定などを行うことができる。また、タッチパネル７０には、製版終了や印刷開始などのメッセージなども表示される。なお、各種データ、設定などの入力手段は本実施形態の例に限らず、同等に機能するものであれば、他の形式、形態であってもよい。
【００３０】
次に、本実施形態に係わる孔版印刷機１の制御系に係わる構成を図１を参照しながら説明する。
【００３１】
図１において、制御部８１は、孔版印刷機１全体の動作を制御する部分であり、各種の演算処理やデータの入出力等の処理を実行する中央演算ユニット（ＣＰＵ）により構成されている。この制御部８１には、操作パネル６０から入力された各種のコマンドや画像情報などを記憶するＲＡＭ（ランダムアクセスメモリ）８２、制御プログラムなどを記憶するＲＯＭ（リードオンリーメモリ）８３のほか、原稿読取部１０を駆動する原稿読取部駆動回路８５、製版書込部２０の駆動を制御する製版書込部駆動回路８６、印刷部４０の駆動を制御する印刷部駆動回路８７、画像処理部８８のほか、図３の操作パネル６０に配置された製版／印刷スタートキー６２、製版／印刷切替キー６６、文字モードキー７１、写真モードキー７２などが接続されている（このほかの接続機器については説明を省略する）。
【００３２】
上述した制御部８１、ＲＡＭ８２、ＲＯＭ８３、及び図示しない入出力インターフェース（Ｉ／Ｏインターフェース）は、マイクロコンピュータにより構成されている。ただし、これら各部を複数のマイクロコンピュータにより構成することも可能であり、原稿読取り、製版、印刷などの制御の他にも複数の制御を実行する装置として構成してもよい。
【００３３】
次に、図１に示すイメージセンサ１１、Ａ／Ｄ変換部８９、画像処理部８８、及び制御部８１の処理について説明する。
【００３４】
イメージセンサ１１は、原稿に照射した光の反射光を読み取り、原稿に形成された画像の濃淡をＣＣＤによりアナログの電気信号に変換（光電変換）してＡ／Ｄ変換部８９に出力する。
【００３５】
Ａ／Ｄ変換部８９は、イメージセンサ１１で読み取られたアナログの電気信号を８ビット（０〜２５５階調）のデジタルデータに変換して画像処理部８８に出力する。また、このときシェーディング補正などの処理を実施する。
【００３６】
画像処理部８８は、Ａ／Ｄ変換部８９で変換されたデジタルデータに対して、原稿モードに応じた孔版用の画像処理を施し、ニ値化された白黒データとして制御部８１に出力する。例えば、文字モードが選択されたときには、デジタルデータを単純二値化（閾値を基準にして白黒を決定）して１ビットの白黒データとする。また、写真モードが選択されたときには、デジタルデータを濃度変換した後、中間調処理（網点・誤差拡散）実施して、周辺画素の疎密等で濃度が表現されるように１ビットの白黒データとする。この白黒データにより全体として写真原稿の濃度（階調）が表現されることになる。
【００３７】
なお、１ビットの白黒データとは、白画素が「０」、黒画素が「１」、又は白画素が「１」、黒画素が「０」というような「０」又は「１」で表現されるデジタルの電気信号である。
【００３８】
また、画像処理部８８では、上記の白黒データに含まれる黒画素について、主走査方向及び副走査方向における周囲の黒画素の配置から、その黒画素がどの画素パターンに含まれる黒画素かを判別する処理を実施する。本実施形態において、画素パターンは以下の４種類に区分されている。
【００３９】
（１）ベタ部
主走査方向及び副走査方向に黒画素が少なくとも３つ以上連続している画素パターン。
【００４０】
（２）細線
主走査方向又は副走査方向のどちらかに黒画素が少なくとも３つ以上連続している画素パターン。
【００４１】
（３）孤立部
主走査方向及び副走査方向に黒画素が隣接していない画素パターン。
【００４２】
（４）中間調部
主走査方向又は副走査方向に黒画素が散在している画素パターン。
【００４３】
画像処理部８８では、対象となる黒画素（注目画素）がどの画素パターンに含まれるかに応じて、その黒画素の画素パターンを判別する。このような判別処理を白黒データに含まれるすべての黒画素について実施して、白黒データと各黒画素の画素パターンに関する情報とを制御部８１に出力する。
【００４４】
制御部８１では、画像処理部８８から送られてきた白黒データと各黒画素の画素パターンに関する情報とに基づいて、各黒画素を印字する発熱体に供給する印加エネルギーを設定する処理を実行する。そして、白黒データと、各黒画素の印加エネルギーに関する情報とを対応付けて画像データとしてＲＡＭ８２に記憶する。なお、制御部８１は、選択された原稿モードに応じて、白黒データに含まれる各黒画素を印字する発熱体に供給する印加エネルギーを設定する制御手段として機能する。
【００４５】
次に、制御部８１において各黒画素の印加エネルギーを設定する処理について説明する。
【００４６】
まず制御部８１は、画像処理部８８から送られてきた白黒データに含まれる各黒画素について、操作パネル６０を通じてユーザにより選択された原稿モード（写真モード、文字モード）と、判別された画素パターンとに従って穿孔面積を設定する処理を実行する。
【００４７】
図４は、選択された原稿モードと、原稿の画素パターンに応じた黒画素の穿孔面積の大きさとの対応関係を示す説明図（対応表）である。図４において、ＤＳ、ＤＭ、ＤＬはサーマルヘッド２１の発熱体２１ａにより加熱穿孔（印字）される黒画素の穿孔面積の大きさを相対的に表したもので、ＤＳ＜ＤＭ＜ＤＬの関係を有する。製版書込部２０による製版処理では、画素が白画素であれば加熱穿孔されないが、黒画素であれば加熱穿孔により孔版原紙にインキの通過する孔が形成される。上記ＤＳ、ＤＭ、ＤＬのうち、ＤＭは通常の製版処理において形成される標準的な穿孔面積を示している。すなわち、従来装置の写真モード、文字モードにおいて加熱穿孔により形成される１画素あたりの穿孔面積に相当する。なお図４の対応表に関するデータはＲＯＭ８３に参照データとして記憶されている。
【００４８】
次に、制御部８１は、各黒画素の穿孔面積に応じた印加エネルギーを設定する処理を実行する。すなわち、写真モードのベタ部、細線、孤立部の画素パターンに含まれる黒画素については穿孔面積がＤＬとなるように印加エネルギーを設定し、同じく写真モードの中間調部の画素パターンに含まれる黒画素ついては穿孔面積がＤＳとなるように印加エネルギーを設定する。また、文字モードのベタ部、細線の画素パターンに含まれる黒画素ついては穿孔面積がＤＭとなるように印加エネルギーを設定し、同じく写真モードの孤立部の画素パターンに含まれる黒画素については穿孔面積がＤＳとなるように印加エネルギーを設定する。
【００４９】
ここで、サーマルヘッド２１の発熱体２１ａに供給される印加エネルギーについて説明する。製版書込部２０のサーマルヘッド２１において、発熱体２１ａに供給される印加エネルギーは、印加パワー（電流×電圧）×発熱時間（発熱体への通電時間）となる。本実施形態では、原稿モードに係わらず印加パワーを一定とし、発熱時間の長さを変えることで印加エネルギーの大きさを制御している。詳しくは、発熱体２１ａの発熱時間は、サーマルヘッド２１に与えるストローブ信号のパルス長（通電時間）により調整することができる。例えば、穿孔面積がＤＬの場合は長パルスのストローブ信号を供給して発熱時間を長くすることにより穿孔面積を大きくすることができ、穿孔面積がＤＳの場合は短パルスのストローブ信号を供給して発熱時間を短くすることにより穿孔面積を小さくすることができる。また、穿孔面積がＤＭの場合は長パルスと短パルスの中間の長さとなる中パルスのストローブ信号を供給することにより穿孔面積をＤＬとＤＳの中間の大きさとすることができる。
【００５０】
なお、このような印加エネルギーの制御は熱履歴制御として実行される。一般に発熱体は、自身が発熱したときの蓄熱や周囲の発熱体で発生した熱（伝熱）の影響を受けるため、各発熱体に同じ印加エネルギーを与えても、必ずしも同じ穿孔面積にはならない。このため、ある発熱体の１〜２ライン前の熱履歴と隣接する他の発熱体の熱履歴とを考慮して印加エネルギーを決定することにより、各発熱体における印加エネルギーを最適化することできる。
【００５１】
一般に画像データには、白黒データのほかに、このような熱履歴に関する情報が熱履歴データとして含まれるが、本実施形態における画像データには、白黒データと、各黒画素を印字する発熱体に供給する印加エネルギーに関する情報とが含まれる。ただし、上記設定された印加エネルギーに関する情報について、更に熱履歴による補正を行い、これを熱履歴データとして画像データに含めるようにしてもよい。
【００５２】
制御部８１では、白黒データと、各黒画素を印字する発熱体に供給する印加エネルギーに関する情報とを画像データとしてＲＡＭ８２の所定領域に記憶する。そして、製版処理のスタートが指示されると、制御部８１はＲＡＭ８２に記憶している画像データを製版書込部駆動回路８６に出力する。製版書込部駆動回路８６では、制御部８１から送られてきた画像データに基づいて、サーマルヘッド２１に設けられた図示しないシフトレジスタにデータを転送するタイミングを指示するクロック信号、サーマルヘッド２１の各発熱体２１ａを選択的に駆動するための白黒データ、前記シフトレジスタに白黒データをセットするためのラッチ信号、ラッチされた白黒データを発熱体２１ａへ出力するタイミングを指示するストローブ信号を生成して、サーマルヘッド２１に出力する。
【００５３】
なお、図１及び図２において、モード受付手段となる文字モードキー７１、写真モードキー７２、制御部８１は、本実施形態におけるサーマルヘッドの制御装置を構成するものである。
【００５４】
次に、本実施形態の孔版印刷機１における製版／印刷の処理手順を図５のフローチャートにより説明する。なお、ここでは、製版／印刷における主要な処理についてのみ説明する。
【００５５】
まず、製版／印刷を実行するに際して、ユーザは原稿の種類に応じて原稿モードの選択を行う。具体的には、電源投入後に、ユーザは操作パネル６０（図３）の製版／印刷切替キー６６を押下して製版モードに切り替え、続いて原稿の種類に応じて文字モードキー７１又は写真モードキー７２のいずれかを選択して押下する。そして、原稿セット台１２に原稿７をセットして、製版／印刷スタートキー６２を押下する。
【００５６】
制御部８１では、操作パネル６０の文字モードキー７１又は写真モードキー７２が押下されたかどうかを判定する（ステップＳ１０１）。ここでは、ユーザにより、いずれかのモードが選択されるまで待機し（ステップＳ１０１でＮＯ）、モードが選択されると（ステップＳ１０１でＹＥＳ）、続いて、製版モードで製版／印刷スタートキー６２が押下されたかどうかを判定する（ステップＳ１０２）。そして、ユーザにより製版モードに切り替えられ、且つ製版／印刷スタートキー６２が押下されるまで待機し（ステップＳ１０２でＮＯ）、製版モードで製版／印刷スタートキー６２が押下されたときは（ステップＳ１０２でＹＥＳ）、製版処理のプロセスに移行する。
【００５７】
まず、制御部８１は、排版処理を実行する（ステップＳ１０３）。この排版処理は、図２において、分離爪５５の先端をドラム３３の外周に接触させた状態でドラム３３を回転させることにより、ドラム３３の外周に巻き付けられている使用済みの孔版原紙２３を剥ぎ取るものである。
【００５８】
次に、制御部８１は、原稿読取部駆動回路８５を介して原稿読取部１０を駆動し、原稿の読取り処理を実行する（ステップＳ１０４）。ここで制御部８１は、原稿センサ１７からの検知信号を受信すると、原稿読取部１０（図２）において、原稿搬送ローラ対１４を回転駆動して原稿７を所定方向に向けて搬送させ、イメージセンサ１１により原稿７の画像を光学的に読取る。画像を読取った原稿７は原稿排出ローラ対１５により原稿排出トレー１９に排出される。また、イメージセンサ１１で読取られた１版分のアナログの電気信号はＡ／Ｄ変換部８９で８ビットのデジタルデータに変換され、画像処理部８８に送られる。
【００５９】
次に、画像処理部８８では、Ａ／Ｄ変換部８９から送られてきたデジタルデータに対して、原稿モードに応じた孔版用の画像処理を施し、ニ値化された白黒データに変換する。更に、この白黒データに含まれる黒画素について、主走査方向及び副走査方向における周囲の黒画素の配置から、その黒画素がどの画素パターンに含まれる黒画素かを判別して、白黒データと各黒画素の画素パターンに関する情報とを制御部８１に出力する（ステップＳ１０５）。
【００６０】
次に、制御部８１では、画像処理部８８から送られてきた白黒データと各黒画素の画素パターンに関する情報とに基づいて、各黒画素を印字する発熱体に供給する印加エネルギーを設定する処理を実行する（ステップＳ１０６）。ここで、制御部８１により実行される印加エネルギー設定の処理手順を図６に示すフローチャートを参照しながら説明する。
【００６１】
制御部８１は、ユーザにより選択された原稿モードが写真モードか文字モードかを判定する（ステップＳ２０１）。ここで写真モードであれば、対象となる黒画素がベタ部、細線、又は孤立部の画素パターンに含まれる画素であるかを判定する（ステップＳ２０２）。このステップＳ２０２でＹＥＳであれば、対象となる黒画素について、穿孔面積ＤＬに対応する印加エネルギーを設定する（ステップＳ２０３）。また、ステップＳ２０２でＮＯであれば、対象となる黒画素が中間調部の画素パターンに含まれる画素であるかを判定する（ステップＳ２０４）。このステップＳ２０４がＹＥＳであれば、対象となる黒画素について、穿孔面積ＤＳに対応する印加エネルギーを設定する（ステップＳ２０５）。また、ステップＳ２０４でＮＯであれば、対象となる黒画素について、穿孔面積ＤＬに対応する印加エネルギーを設定する（ステップＳ２０６）。このように、写真原稿において対象となる黒画素がベタ部、細線、孤立部、中間調部のいずれの画素パターンの条件にも当てはまらないケースは、制御系のトラブル（ソフトウェアのバグ等）により生じることを想定したものである。この場合は、写真原稿の中で最も多いと想定できる黒画素のパターン（ベタ部、細線、孤立部）の穿孔面積ＤＬに合わせることで画像に影響を与える可能性が低くなるようにしている。
【００６２】
一方、ステップＳ２０１で文字モードであれば、対象となる黒画素がベタ部、又は細線の画素パターンに含まれる画素であるかを判定する（ステップＳ２０７）。このステップＳ２０７でＹＥＳであれば、対象となる黒画素について、穿孔面積ＤＭに対応する印加エネルギーを設定する（ステップＳ２０８）。また、ステップＳ２０７でＮＯであれば、対象となる黒画素が孤立部の画素パターンに含まれる画素であるかを判定する（ステップＳ２０９）。このステップＳ２０９がＹＥＳであれば、対象となる黒画素について、穿孔面積ＤＳに対応する印加エネルギーを設定する（ステップＳ２１０）。また、ステップＳ２０９でＮＯであれば、対象となる黒画素について、穿孔面積ＤＭに対応する印加エネルギーを設定する（ステップＳ２１１）。このように、文字原稿において対象となる黒画素がベタ部、細線、孤立部のいずれの画素パターンの条件にも当てはまらないケースは、制御系のトラブル（ソフトウェアのバグ等）により生じることを想定したものである。この場合は、文字原稿の中で最も多いと想定できる黒画素のパターン（ベタ部、細線）の穿孔面積ＤＭに合わせることで画像に影響を与える可能性が低くなるようにしている。
【００６３】
上記ステップＳ２０３、ステップＳ２０５、ステップＳ２０８、ステップＳ２１０に続いて、制御部８１は１版分のすべての黒画素について処理を終了したかどうかを判定する（ステップＳ２１２）。そして、このステップＳ２１２でＮＯであればステップＳ２０１（又は原稿モードに応じてステップＳ２０２、ステップＳ２０７）へリターンし、ＹＥＳであればこのサブルーチンを終了して図５のメインルーチンに戻る。制御部８１は、図６に示す印加エネルギー設定の処理を実行した後、白黒データと、各黒画素の印加エネルギーに関する情報とを対応付けて画像データとしてＲＡＭ８２の所定領域に記憶する。
【００６４】
制御部８１は、図５のステップＳ１０６までのステップが終了すると、続いて製版書込部駆動回路８６を介して製版書込部２０を駆動し、孔版原紙２３への製版処理を実行する（ステップＳ１０７）。ここで制御部８１は、製版書込部２０（図２）において、プラテンローラ２４を回転駆動して、孔版原紙ロール２２から送り出された孔版原紙２３をサーマルヘッド２１に押し当てながら搬送させる。これと同期して、制御部８１はＲＡＭ８２から白黒データと、各黒画素の印加エネルギーに関する情報とを取り出し、製版書込部駆動回路８６に出力する。製版書込部駆動回路８６では、制御部８１から送られてきた画像データに基づいて、クロック信号、白黒データ、ラッチ信号、ストローブ信号を生成してサーマルヘッド２１に出力する。これにより、サーマルヘッド２１に押し当てられた孔版原紙２３が選択的に加熱穿孔され、原稿の画像が孔版原紙２３に穿孔パターンとして書き込まれる。
【００６５】
更に、白黒の画像が書き込まれた孔版原紙２３の先端がドラム３３の外周に設けられたクランプ部３２にクランプされ、所定方向にドラム３３が回転すると、孔版原紙２３はドラム３３の外周面に巻き付けられる。その後、孔版原紙２３の後端部が所定位置でカッター３１で切断され、１版分の孔版原紙２３がドラム３３の外周面に完全に巻き付けられることで製版処理が終了する。製版処理が終了すると、操作パネル６０のタッチパネル７０に例えば「印刷できます」などのメッセージが表示される。
【００６６】
この後、ユーザは操作パネル６０（図３）の製版／印刷切替キー６６を押下して印刷モードに切り替え、印刷枚数などの所定の設定情報をテンキー６５やタッチパネル７０から入力した後、製版／印刷スタートキー６２を押下する。制御部８１では、印刷モードで製版／印刷スタートキー６２が押下されたかどうかを判定する（ステップＳ１０８）。ここでは、ユーザにより印刷モードに切り替えられ、且つ製版／印刷スタートキー６２が押下されるまで待機し（ステップＳ１０８でＮＯ）、印刷モードで製版／印刷スタートキー６２が押下されたときは（ステップＳ１０８でＹＥＳ）、印刷処理を開始する。
【００６７】
印刷モードで製版／印刷スタートキー６２が押下されると、制御部８１は印刷部駆動回路８７を介して印刷部４０を駆動し、印刷用紙４３への印刷処理を実行する（ステップＳ１０９）。ここで制御部８１は、印刷部４０（図２）において、ピックアップローラ４６、タイミングローラ４２を回転駆動して印刷用紙４３をドラム３３に向けて搬送させ、更にプレスローラ３５により印刷用紙４３をドラム３３の外周面に押し付ける。これと同時に、ドラム３３の内部に配置された図示しないインキ供給部からインキを供給することにより、孔版原紙２３に形成された穿孔パターンからインキが滲み出し、印刷用紙４３の表面に原稿の画像情報が転写（印刷）される。そして、印刷された印刷用紙４３を分離爪５５によりドラム３３の外周面から剥ぎ取り、排紙台４９に排紙する。この一連の動作を入力された枚数分繰り返すことにより印刷処理が終了する。
【００６８】
次に、本実施形態の印加エネルギー制御により製版した場合の穿孔状態と、従来技術により製版した場合の穿孔状態との相違を図７〜図１１により説明する。ここでは、本実施形態に特徴的な印加エネルギー制御の例について説明するものとし、従来技術と同じ印加エネルギー制御により製版した場合（文字モードのベタ部、細線など）については説明を省略する。
【００６９】
図７は、写真モードにおいてベタ部を製版した場合の穿孔状態を示す模式図であり、（ａ）は従来技術による穿孔状態、（ｂ）は本実施形態による穿孔状態をそれぞれ示している。
【００７０】
写真モードのベタ部について、従来技術では黒画素の穿孔面積がＤＭとなるように印加エネルギーを設定している。一般に、写真原稿は文字原稿と比較して印字率が低いため、文字原稿と比較して周りの画素からの発熱の影響が少なく、各発熱体の蓄熱が小さいと考えられる。このため、ベタ部において通常の穿孔面積がＤＭとなるように印加エネルギーを設定しても、実際の穿孔面積は計算上よりわずかに小さくなり、図７（ａ）に示すようにベタ部全体として見ると、黒色の密度が低くなってしまう。これに対して図７（ｂ）に示す本実施形態では、写真モードのベタ部において、黒画素の穿孔面積がＤＬとなるように発熱体へ供給する印加エネルギーを設定しているため、各発熱体の蓄熱が小さくても、ベタ部において十分な穿孔面積を得ることができる。したがって、ベタ部全体として見たときに、黒色の密度が高くなり、より高品質な印刷画像を得ることができる。
【００７１】
図８は、写真モードにおいて細線を製版した場合の穿孔状態を示す模式図であり、（ａ）は従来技術による穿孔状態、（ｂ）は本実施形態による穿孔状態をそれぞれ示している。
【００７２】
写真モードのベタ部について、従来技術では黒画素の穿孔面積がＤＭとなるように印加エネルギーを設定している。この細線についても、写真モードではベタ部の場合と同様の理由から、実際の穿孔面積は計算上よりわずかに小さくなり、図８（ａ）に示すように、細線の線幅が細くなってしまう。これに対して図８（ｂ）に示す本実施形態では、写真モードの細線において、黒画素の穿孔面積がＤＬとなるように発熱体へ供給する印加エネルギーを設定しているため、各発熱体の蓄熱が小さくても、孤立部において十分な穿孔面積を得ることができる。したがって、細線の線幅が細くなることがなく、より高品質な印刷画像を得ることができる。
【００７３】
図９は、写真モードにおいて孤立部を製版した場合の穿孔状態を示す模式図であり、（ａ）は従来技術による穿孔状態、（ｂ）は本実施形態による穿孔状態をそれぞれ示している。
【００７４】
写真モードの孤立部については、図９（ａ）に示すように、黒画素が主及び副走査方向にも隣接していないために発熱体の蓄熱が小さく、黒画素の穿孔面積をＤＭとした場合にはボソツキが発生することがある。これに対して図９（ｂ）に示す本実施形態では、写真モードの孤立部において、黒画素の穿孔面積がＤＬとなるように発熱体へ供給する印加エネルギーを設定しているため、各発熱体の蓄熱が小さくても、孤立部において十分な穿孔面積を得ることができる。したがって、孤立部にボソツキが発生することがなく、より高品質な印刷画像を得ることができる。
【００７５】
図１０は、写真モードにおいて中間調部を製版した場合の穿孔状態を示す模式図であり、（ａ）は従来技術による穿孔状態、（ｂ）は本実施形態による穿孔状態をそれぞれ示している。
【００７６】
写真モードの中間調部について、従来技術では黒画素の穿孔面積がＤＭとなるように印加エネルギーを設定している。この中間調部では、図１０（ａ）に示すように、黒画素が主走査方向又は副走査方向に散在しているため、黒画素の穿孔面積が大きいと、印刷画像に粒状感（ザラザラ感）が生じてしまい、階調が滑らかにならなくなってしまう。この結果、グラデーション部分の変化が滑らか見えなくなるという不具合を生じることになる。これに対して図１０（ｂ）に示す本実施形態では、写真モードの中間調部において、黒画素の穿孔面積がＤＳとなるように発熱体へ供給する印加エネルギーを設定しているため、印刷画像の粒状感が抑制され、階調を滑らかなにすることができる。この結果、グラデーション部分の変化が滑らかに見えるようになり、より高品質な印刷画像を得ることができる。
【００７７】
次に、文字モードにおいて孤立部を製版した場合について説明する。図１１は、文字モードにおいて孤立部を製版した場合の穿孔状態を示す模式図であり、（ａ）は従来技術による穿孔状態、（ｂ）は本実施形態による穿孔状態をそれぞれ示している。
【００７８】
文字モードの孤立部について、従来技術では、図１１（ａ）に示すように、黒画素の穿孔面積が通常のＤＭとなるように印加エネルギーを設定している。しかしながら、文字原稿では孤立部を印字することは極まれであり、突発的に混入したゴミなどが孤立部と判断される可能性が高いと考えられる。したがって、文字原稿における孤立部を画素とみなして穿孔してしまうと、画像不良（黒線や点）となる可能性が高くなってしまう。これに対して本実施形態では、図１１（ｂ）に示すように、文字モードの孤立部において、黒画素の穿孔面積がＤＳとなるように印加エネルギーを設定しているため、文字原稿の孤立部が実質的に穿孔される可能性が小さくなり、突発的に混入したゴミなどによる画素不良の発生を低減することができる。
【００７９】
以上のように、本実施形態に係わる孔版印刷機１では、写真モードの孤立部と細線では黒画素の穿孔面積がＤＬとなるように、すなわち通常のベタ部における黒画素の穿孔面積ＤＭよりも大きくなるように発熱体に供給する印加エネルギーが設定されるため、孤立部及び細線では十分な穿孔面積を得ることができる。したがって、孤立部にボソツキが発生することがなく、また細線では線幅が細くなることがないので、より高品質な印刷画像を得ることができる。
【００８０】
また、文字モードの孤立部では黒画素の穿孔面積がＤＳとなるように、すなわち通常のベタ部における穿孔面積ＤＭよりも小さくなるように発熱体へ供給する印加エネルギーが設定されるため、文字原稿の孤立部が実質的に穿孔される可能性が小さくなり、画素不良の発生を低減することができる。
【００８１】
また、本実施形態に係わる孔版印刷機１では、写真モードのベタ部では黒画素の穿孔面積がＤＬとなるように、すなわち本実施形態の写真モードの細線又は孤立部における黒画素の穿孔面積ＤＬと同じとなるように発熱体に供給する印加エネルギーが設定されるため、ベタ部において十分な穿孔面積を得ることができる。したがって、ベタ部全体として見たときに、黒色の密度が高くなり、より高品質な印刷画像を得ることができる。
【００８２】
更に、本実施形態に係わる孔版印刷機１では、写真モードの中間調部では黒画素の穿孔面積がＤＳとなるように、すなわち通常のベタ部における穿孔面積ＤＭよりも小さくなるように発熱体に供給する印加エネルギーが設定されるため、印刷画像の粒状感が抑制され、階調を滑らかなにすることができる。この結果、グラデーション部分の変化が滑らかに見えるようになり、より高品質な印刷画像を得ることができる。
【００８３】
このように、本実施形態に係わる孔版印刷機では、原稿の種類や画素パターンに応じて黒画素の穿孔面積が最適となるように印加エネルギーを設定しているため、原稿の種類や画素パターンに係わらず罫線切れや不発などの画像不良の発生を低減することができる。したがって、原稿の種類などに左右されることなく、常に高品質な印刷画像を得ることが可能となる。
【図面の簡単な説明】
【００８４】
【図１】実施形態に係わる孔版印刷機の機能的な構成を示すブロック図。
【図２】実施形態に係わる孔版印刷機の全体的な構成図。
【図３】操作パネルの配置を示す説明図。
【図４】原稿モードと原稿の画素パターンに応じた黒画素の穿孔面積の大きさとの対応関係を示す説明図。
【図５】実施形態の孔版印刷機における製版／印刷の処理手順を示すフローチャート。
【図６】実施形態の制御部による印加エネルギー設定処理の処理手順を示すフローチャート。
【図７】は写真モードにおいてベタ部を製版した場合の穿孔状態を示す模式図。（ａ）は従来技術による穿孔状態を示す模式図。（ｂ）は実施形態による穿孔状態を示す模式図。
【図８】写真モードにおいて細線を製版した場合の穿孔状態を示す模式図。（ａ）は従来技術による穿孔状態を示す模式図。（ｂ）は実施形態による穿孔状態を示す模式図。
【図９】写真モードにおいて孤立部を製版した場合の穿孔状態を示す模式図。（ａ）は従来技術による穿孔状態を示す模式図。（ｂ）は実施形態による穿孔状態を示す模式図。
【図１０】写真モードにおいて中間調部を製版した場合の穿孔状態を示す模式図。（ａ）は従来技術による穿孔状態を示す模式図。（ｂ）は実施形態による穿孔状態を示す模式図。
【図１１】文字モードにおいて孤立部を製版した場合の穿孔状態を示す模式図。（ａ）は従来技術による穿孔状態を示す模式図。（ｂ）は実施形態による穿孔状態を示す模式図。
【符号の説明】
【００８５】
１…孔版印刷機
７…原稿
１０…原稿読取部
１１…イメージセンサ
２０…製版書込部
２１…サーマルヘッド
２１ａ…発熱体
２３…孔版原紙
３３…ドラム
４０…印刷部
４３…印刷用紙
６０…操作パネル
６２…製版／印刷スタートキー
６６…製版／印刷切替キー
７０…タッチパネル
７１…文字モードキー
７２…写真モードキー
８１…制御部
８２…ＲＡＭ
８３…ＲＯＭ
８５…原稿読取部駆動回路
８６…製版書込部駆動回路
８７…印刷部駆動回路
８８…画像処理部
８９…Ａ／Ｄ変換部
【図１】
0005303160.tif 000002
【図２】
0005303160.tif 000003
【図３】
0005303160.tif 000004
【図４】
0005303160.tif 000005
【図５】
0005303160.tif 000006
【図６】
0005303160.tif 000007
【図７】
0005303160.tif 000008
【図８】
0005303160.tif 000009
【図９】
0005303160.tif 000010
【図１０】
0005303160.tif 000011
【図１１】
0005303160.tif 000012